(57)【要約】      （修正有）【課題】複数の直管型ＬＥＤ照明灯を平行配置する形式の蛍光灯器具に装着して使用する直管型ＬＥＤ式照明灯において、蛍光灯と同等又は用途（設置場所）に応じて、指向性を調整して広範囲を照射できる直管型ＬＥＤ式照明装置を提供する。【解決手段】蛍光灯器具に接続可能な一対の端子１１と、長手方向端部において一対の端子１１を取付ける口金１２と、口金１２に装着されて端子１１と接続されるＬＥＤ作動回路と、ＬＥＤ作動回路に接続される、複数列に配置されたＬＥＤ２６を備える、ＬＥＤ２６を実装する基板２５を有してなる、直管型ＬＥＤ式照明灯１において、口金１２に取付けられた一対の端子１１を、ＬＥＤ列と直角方向の仮想基準線Yに対して、任意に選択された角度だけ偏倚させて口金１２に取付ける。【選択図】図１
2012099233.tif 000002
【特許請求の範囲】
【請求項１】
複数の平行に並んだ直管型ＬＥＤ式照明灯で構成される照明器において、照明器の正面に対して照射方向を偏倚させた直管型ＬＥＤ式照明灯を組み合わせることにより、合成された照射光の照射範囲を拡張することを特徴とした照明器。
【請求項２】
請求項１の直管型ＬＥＤ式照明灯において、両端の２極電源端子の配置方向とＬＥＤ実装基板との相対角度を偏倚させることを特徴とした電源端子の固定方法。
【請求項３】
請求項１に記載の照明器において、直管型ＬＥＤ式照明灯用の電源ソケットの２極電極端子挿入口配列方向を互いに偏倚させることにより、ソケットに挿入された複数の直管型ＬＥＤ式照明灯で合成される照射光の照射範囲を拡張することを特徴とした照明器具。
【発明の詳細な説明】
【技術分野】
【０００１】
本発明は、直管型ＬＥＤ式照明装置である直管型ＬＥＤ式照明灯及び直管型ＬＥＤ式照明器具に関するものであり、更に詳しくは、ＬＥＤから発せられる光を効率良く拡散させることのできる直管型ＬＥＤ式照明装置に関するものである。
【背景技術】
【０００２】
従来、既存の蛍光灯器具に装着して使用することのできる直管型ＬＥＤ式照明灯としては、例えば、図５及び図６に示すような形式のものがある。即ち、直管型ＬＥＤ式照明灯７は、ガラスあるいは合成樹脂製の光拡散用カバー２１と、その内部に電源ユニット２３やＬＥＤ点灯回路（整流回路、定電流回路、雷サージ保護素子や平滑コンデンサ等）を備える基板２５を有し、その基板上の一方の側に多数の高輝度ＬＥＤ２６が列状に実装されている。光拡散用カバー２１と反対側には基板２５と固定接触する放熱板２７が設けられている。
【０００３】
なお、図５において参照番号１１は、直管型蛍光灯器具のソケットの電源端子挿入口に装着される電源端子である。１２は前記電源端子１１を固定するための口金、１３は口金１２と一体成型された口金の大径部であり、内部に電源端子ユニットを収納する。１５は口金１２、１３を固定するためのネジである。
【０００４】
一般的にＬＥＤの特性及び光学系の構造上、蛍光灯と比較して照射光は指向性が強く、広範囲に明るくする用途には不向きで、廊下や常夜灯、街路灯、防犯灯などに限定されていて、広範囲に照射が必要とされる例えば、学校の教室、図書館、事務所、工場などの室内用の照明用としては難点がある。このため、照度を大きくしたり照射角を広くするために、ＬＥＤ列を２列あるいは３列等の複数列にしている。下記特許文献１では３列にＬＥＤ列を配している。
【０００５】
特に、白色光を照射する白色ＬＥＤは多数配置することにより、蛍光灯とほぼ同じか、それ以上の発光輝度を得ることができる。しかも、同じ発光輝度を有する蛍光灯とその消費電力について比較した場合、ＬＥＤを使用した照明装置では、一般的な蛍光灯の消費電力の１／３〜１／４程度と少なくすることができ、電気代の節約になるばかりでなく、近年広く提唱されている省エネやひいては、二酸化炭素削減等の環境問題や地球温暖化の抑制に貢献することができる。また、ＬＥＤは、蛍光灯に比べてランプの寿命を大幅に延ばすことができ、ランプ交換の手間が少なくなり、特に、老齢者及び婦女子等には極めて望ましいといった利点が多々ある。
【特許文献１】特開２００８−１３０５３５号公報
【発明の開示】
【発明が解決しようとする課題】
【０００６】
しかし、従来この種の直管型ＬＥＤ式照明装置においては、発光源であるＬＥＤ列を複数列にしておいても、これらのＬＥＤ列を同一平面上に配置しておくと、両列のＬＥＤの光軸が同一であるため列方向（直管型蛍光灯の長手方向）と直交する方向への照射角が制限され、照射範囲が狭くなり明るさを十分に広範囲に効率よく得られない。
【０００７】
即ち、図５に示した従来例のものにおいては、電源端子１１の配列が従来の直管型ＬＥＤ式照明灯の場合、２本の直管型照明灯の照射光は、取付け面の垂直方向の光軸で広がる。
【０００８】
これを回避すべくＬＥＤ列を同一平面に３列や４列以上設けることにすれば、照射する範囲は広くなるが、列長手方向と直角方向の寸法も大きくなり、蛍光灯自体の径が大きくなりすぎるといった欠点を有する。
【０００９】
市販されている２灯式笠付直管型蛍光灯の指向性及び、従来の直管型ＬＥＤ式照明灯の指向性の一例を図７及び図８に示す。これらは、実使用状態を考慮して照明器具から２.５ｍ離れた点で測定したものである。
【００１０】
図中において参照番号６は２灯用笠付蛍光灯器具、参照番号７は蛍光灯又はＬＥＤ照明灯（７Lは左側、７Rは右側）、参照番号Aは蛍光灯又はＬＥＤ照明灯７の長手方向の指向性、参照番号BはＬＥＤ照明灯７の指向性、参照番号Cは蛍光灯の横方向の指向性である。
【００１１】
図７に示すように、ＬＥＤ照明灯と蛍光灯の指向性Aには、特段有意差がないことが分かる。他方、図８に示すように、ＬＥＤ照明灯の横方向の指向性Bは、蛍光灯の指向性Cに比して著しく指向性が強く、照射光の広がりがないことが分かる。
【００１２】
一般にＬＥＤ照明灯では、高輝度のＬＥＤを直接裸眼で見ることによる目の健康上の問題から、円筒状の拡散カバーでＬＥＤを覆い隠す構造になっているため、更に、指向性が強くなり、照射角が狭くなるという欠点がある。
【課題を解決するための手段】
【００１３】
本発明は、上記したような従来技術の課題に着目して提案されたもので、複数の直管型ＬＥＤ式照明灯又は直管型蛍光灯を、平行配置する形式の照明器具に装着して使用する直管型ＬＥＤ式照明灯において、蛍光灯と同等又は用途（設置場所）に応じて指向性を調整することができ、これにより複数本の直管型ＬＥＤ式照明灯を装着した場合に、広範囲に照射させることが可能な直管型ＬＥＤ式照明灯を提供することを目的とする。
【００１４】
請求項１に記載の発明は、複数の平行に並んだ直管型ＬＥＤ式照明灯で構成される照明器において、照明器の正面に対して照射方向を偏倚させた直管型ＬＥＤ式照明灯を組み合わせることにより、合成された照射光の照射範囲を拡張することを特徴とする。
【００１５】
請求項２に記載の発明は、請求項１の直管型ＬＥＤ式照明灯において、両端の２極電源端子の配置方向とＬＥＤ実装基板との相対角度を偏倚させることを特徴とする。
【００１６】
請求項３に記載の発明は、請求項１に記載の照明器において、直管型ＬＥＤ式照明灯用の電源ソケットの２極電源端子挿入口配列方向を互いに偏倚させることにより、ソケットに挿入された複数の直管型ＬＥＤ式照明灯で合成される照射光の照射範囲を拡張することを特徴とする。
【発明の効果】
【００１７】
本発明によれば、従来の蛍光灯の代替えを主な目的としたもので、特に、一般に広く設置されている２灯式、３灯式の蛍光灯器具へ使用することにより効果を発揮するものである。
【００１８】
更に、従来の蛍光灯器具の蛍光灯用ソケットの構造の一部を変更することにより、従来の直管型ＬＥＤ式照明灯の構造を変更することなく、同様の効果を得られる直管型ＬＥＤ式照明装置が提供できる。
【発明を実施するための最良の形態】
【００１９】
以下、本発明を実施する形態を図面に基づいて説明する。なお、本発明の実施形態において用いる参照番号（部品番号）は、従来例と同一のものは基本的に同一の参照番号を用いて説明する。
【００２０】
図１に示すように、本発明の直管型ＬＥＤ式照明装置における直管型ＬＥＤ式照明灯１は、基本的には、図示しない既存の直管型蛍光灯器具のソケット部に装着して使用可能に構成されている。
【００２１】
直管型ＬＥＤ式照明灯１の両端には、プラグ側口金１２が設けられている。この口金１２には、既存の直管型蛍光灯器具のソケットの電源端子挿入口に装着される電源端子１１が取り付けられている。この両側の電源端子１１は、この種の一般的な直管型ＬＥＤ式照明装置と同様に、内部において基板２５に実装された電源ユニットや整流回路ブロック等に電気的接続しており、蛍光灯器具から整流回路に電流を流してＬＥＤ２６を点灯させる。
なお、ＬＥＤ点灯回路などの回路の構成については、既存の回路と同様であるため省略する。雷サージ保護素子や平滑コンデンサなどを含めるものであることは云うまでもない。
【００２２】
口金１２に取付けられている電源端子１１は、左右の側面図から明らかなように、ＬＥＤ２６列と直角方向にある口金１２上にある仮想基準線Yから、予め定められた任意の角度θだけ偏倚するように配置されている。即ち、従来の直管型ＬＥＤ照明灯の電極端子配列を仮想基準線Yとして、これを基準に偏倚させるものである。なお、図５で示した従来例のものは、この仮想基準線Y上に一対の電源端子１１が配置されている。
この偏倚角度θを如何にして定めるかについては、図２を用いて後述する。以下における図１及び図２の説明における偏倚とは、この仮想基準線Yからの偏倚を云うものである。
【００２３】
即ち、電源端子１１の配列が従来例の場合には、θ＝０の場合においては、ＬＥＤ実装基板２５と平行であることを示しており、２本の直管型照明灯の照射光は、取付け面の垂直方向の光軸で広がる。これに対し本発明の直管型ＬＥＤ式照明灯の場合には、偏倚角度θ分に応じて外側に向けて光軸を有するように広がる。
【００２４】
ＬＥＤ（高輝度ＬＥＤ）２６は、一列直線上に所定の間隔をおいて配されており、夫々ＬＥＤを実装する基板２５の外側に位置するように実装されている。この点は従来のものと同様である。また、ＬＥＤ２６の外側には、ガラスあるいは合成樹脂製の光拡散用カバー２１と、その内部に電源ユニット２３やＬＥＤ点灯回路（整流回路、定電流回路、雷サージ保護素子や平滑コンデンサ等）を備える基板２５を有し、その基板上の一方の側に多数の高輝度ＬＥＤ２６が列状に装着されている。
光拡散用カバー２１の反対側には、基板２５と固定接触する放熱板２７が設けられている。なお、本発明の要旨は口金１２上の端子の配置方向であるので、光拡散カバー２１や放熱板２７の有無や形態如何は問わないものである。
【００２５】
図６に示した例では、断面蛇腹状の放熱板２７を設けた形式のものであり、アルミニュウム、他の金属等放熱効果の高い材料で形成されている。回路基板２５と同一の材料で形成しておいても、また、異種の材料で形成しておいても良い。両者２７、２５は側端面において重ねられるように接合された状態でリベット等の固定手段で一体的に接続固定される。この接続手段はこれに限定されるものではなく、例えば、接着、鋲着、ネジ固定等のいかなる接続手段であっても良い。
【００２６】
上記した本発明の直管型ＬＥＤ式照明灯１を、２本離間状態で平行になるように照明器具に取付ける場合について説明する。この場合には、夫々の直管型ＬＥＤ式照明灯１が、ＬＥＤの指向方向が相互に外側を向くようにして取付ける。
【００２７】
この場合における電源端子１１の配置角度、即ち、仮想基準線Yからの偏倚角度θは、任意に定められるが、例えば、３０度〜４５度の範囲とした場合における照射範囲を図２に示した。詳細は下記の通りである。
【００２８】
図２において、（ａ）は偏倚角度θを３０度、（ｂ）は偏倚角度θを３５度、（ｃ）は偏倚角度θを４０度、（ｄ）は偏倚角度θを４５度に設定して計測した指向性を示すものである。即ち、図中における参照番号Jは、左側の直管型ＬＥＤ式照明灯１L、Kは右側の直管型ＬＥＤ式照明灯１Rの指向性を夫々示すもので、E、F、G、Hは、両直管型ＬＥＤ式照明灯の合成指向性を示すものである。偏倚角度を大きくすればするほど左右方向（直管型ＬＥＤ式照明灯の長手方向と直交する方向）の照射範囲が大きくなる。
【００２９】
即ち、図中の（ａ）における偏倚角３０度の合成指向性Eは、直管型ＬＥＤ式照明灯より広い指向性を有するが蛍光灯よりは狭くなっており、廊下等の幅の狭い場所での使用に適している。
図中の（ｂ）における偏倚角３５度の合成指向性Fは、蛍光灯に近い指向性を有しており、既設の蛍光灯を直管型ＬＥＤ式照明灯に取り替えて用いるのに適している。
図中の（ｃ）及び（ｄ）における偏倚角４０度及び４５度の合成指向性G、Hは、蛍光灯以上に広い指向性を実現しており、事務所、図書館、工場等の広い範囲で均等な明るさが求められる場所に適している。
【００３０】
この図においては、左右の直管型ＬＥＤ式照明灯１L、１Rの電源端子の仮想基準線Yに対する偏倚角度θを同一のものを装着することとしたが、本発明はこれに限定されるものではなく、左右で異なる偏倚角度のものを装着しておいても良い。
いずれの偏倚角度θを組み合わせるかは、照明をする場所や用途によって任意に決定されるものである。
【００３１】
上記した直管型ＬＥＤ式照明灯においては、ＬＥＤ列を１列のものとして説明したが、本発明の直管型ＬＥＤ式照明灯は、これに限定されるものではなくＬＥＤ列を２列あるいは３列等複数列にしておいても、適用できることは云うまでもない。
【００３２】
上記説明においては、直管型ＬＥＤ式照明灯１を２灯としたものを前提にして説明したが、本発明はこれに限定されるものではなく、３灯や４灯のものであっても良い。３灯の場合には、左右の直管型ＬＥＤ式照明灯の電源端子１１の偏倚角度θを持たせて、中央のものを０度に設定してある従来のものを用いることが考えられる。もっとも、中央部のものについても左右何れかの方向に偏倚角度θを持たせても良い。その使用目的、使用場所によって夫々任意に決定すれば良い。
【００３３】
４灯のものの場合には、両外側のものの偏倚角度θと両内側のものの偏倚角度θの異なるものを組み合わせておくか又は同一にしておくかも使用目的、使用場所によって適宜必要に応じて決定すれば良い。
【００３４】
上記実施形態においては、直管型ＬＥＤ式照明灯１の電源端子１１の配置を偏倚させることとしたが、本発明の直管型ＬＥＤ式照明装置は、これに限定されるものではなく、図５で示したような従来の直管型照明灯でもって同様の効果を得ようとするものである。
【００３５】
即ち、第２の実施形態においては、図３及び図４に示すように直管型照明器具８のソケット８１（８１A、８１B）にある、仮想直線上に配置された一対の電源端子挿入口８５を偏倚させた仮想直線上に配置したものを用いる。従来の直管型照明器具における電源端子挿入口８５の配置線は、反射板８０と平行になるようにしてあるが、本実施形態においては、その配置線を従来のものから角度θだけ偏倚さておくものである。なお、ＬＥＤ式照明灯の場合には、指向性が強く蛍光灯のように全周から放射方向に光を発散させるものではないので、このような反射板は必ずしも必要は無い。
【００３６】
この実施形態のものについては、２灯式のものを前提にして図示して説明したが、本実施形態はこれに限定されるものではなく、３灯式、４灯式以上であっても良い。夫々の直管型ＬＥＤ式照明灯の照射指向性を選択できる。また、本実施形態の直管型ＬＥＤ式照明器具は、従来の直管型ＬＥＤ式照明灯を装着することを前提とするものであるが、前記請求項１に記載の直管型ＬＥＤ式照明灯を装着することも可能であり、更に、直管型蛍光灯を装着して使用することもできることは云うまでもない。
【００３７】
本発明の趣旨から見た従来のものとの比較をする。従来のものは、電源端子挿入口を結んだ直線の偏倚角度θ＝０であり、図５で示した従来の直管型ＬＥＤ式照明灯を２本取付けた場合には、その照射光は、取付面の垂直方向に照射方向を有するように広がる。これに対し本発明の場合には、偏倚角度θに応じて外側に向けて照射方向を有するようにして広がり、結果として照射範囲が広がることとなる。また、直管型ＬＥＤ式照明器具の場合にも、従来のものがソケットの電源端子挿入口を結ぶ線の偏倚角度θ＝０であり、２本の直管型ＬＥＤ式照明灯の照射光がソケット取付面の垂直方向に照射されるのに対し、本発明のものは、偏倚角度θ分だけ外側に広がる。
【００３８】
このように、本発明の直管型ＬＥＤ式照明装置は、偏倚角度θ分だけ照明灯の照射の指向性を任意に設定できることとなり、その使用目的、使用場所等広範囲の用途が想定でき、その効用極めて大なるものが望める。
【図面の簡単な説明】
【００３９】
【図１】本発明の第１の実施形態における直管型ＬＥＤ式照明灯を示す一部切欠き平面図及び左右側面図。
【図２】本発明の第１の実施形態における直管型ＬＥＤ式照明灯の指向性を示す説明図。
【図３】本発明の第２の実施形態を示す一部省略平面図及び側面図。
【図４】図３におけるA-A線矢視拡大図。
【図５】従来例を示す一部切欠き平面図及び右側面図。
【図６】図１及び図５における内部構造を示すものでA-A'線断面拡大図。
【図７】２灯式笠付市販蛍光灯及び従来の直管型ＬＥＤ式照明灯の長手方向の指向範囲を示した説明図。
【図８】２灯式笠付市販蛍光灯及び従来の直管型ＬＥＤ式照明灯の長手方向と直角方向の指向範囲を示した説明図。
【符号の説明】
【００４０】
１・・直管型ＬＥＤ式照明灯
８・・直管型ＬＥＤ式照明器具
１１・・電源端子
１２・・口金
１３・・電源端子ユニット
２１・・光拡散用カバー
２５・・基板
２６・・ＬＥＤ
２７・・放熱板
８０・・反射板
８１A、８１B・・ソケット
８５・・電源端子挿入口
Ｅ、Ｆ、Ｇ、Ｈ・・合成指向性
Ａ、Ｂ、Ｃ、Ｊ、Ｋ・・指向性
【図１】
2012099233.tif 000003
【図２】
2012099233.tif 000004
【図３】
2012099233.tif 000005
【図４】
2012099233.tif 000006
【図５】
2012099233.tif 000007
【図６】
2012099233.tif 000008
【図７】
2012099233.tif 000009
【図８】
2012099233.tif 000010